【手続補正書】
【提出日】平成21年8月31日(2009.8.31)
【手続補正１】
【補正対象書類名】明細書
【補正対象項目名】発明の名称
【補正方法】変更
【補正の内容】
【発明の名称】媒体の発行処理システム
【手続補正２】
【補正対象書類名】明細書
【補正対象項目名】特許請求の範囲
【補正方法】変更
【補正の内容】
【特許請求の範囲】
【請求項１】  内蔵メモリに対して非接触方式でアクセスすることが可能な非接触型ＩＣカードを発行する処理を行うシステムであって、
前記内蔵メモリ以外の所定箇所にそれぞれ固有のキーデータが書き込まれた非接触型ＩＣカードを収容し、これを順次供給するカード供給部と、
このカード供給部から供給されたＩＣカードを所定の搬送路に沿って搬送するカード搬送部と、
前記搬送路上の第１の位置に設けられ、搬送されてきたＩＣカードから前記キーデータを読み取るキーデータ読取部と、
前記搬送路上の第２の位置に設けられ、搬送されてきたＩＣカードの内蔵メモリに対して非接触方式でアクセスを行うメモリアクセス部と、
前記搬送路上の第３の位置に設けられ、搬送されてきたＩＣカードにカードＩＤを可視データとして印字する可視データ印字部と、
前記搬送路上の第４の位置に設けられ、搬送されてきたＩＣカードに印字された可視データの検査を行う外観検査部と、
前記搬送路の末端位置において、前記搬送路から排出されたＩＣカードを、良品と不良品とに分別して収容するカード排出部と、
個々のＩＣカードの内蔵メモリに書き込むべきエンコードデータを格納したエンコードデータ格納部と、
システム全体を統括管理する制御部と、
を備え、前記制御部は、
前記キーデータ読取部によって読み込まれたキーデータに応じたエンコードデータを前記エンコードデータ格納部から抽出し、抽出したエンコードデータを前記メモリアクセス部に与えてＩＣカードの内蔵メモリへの書き込みを行わせ、
内蔵メモリへの正常な書き込みが行われたＩＣカードに対して、前記可視データ印字部に所定のカードＩＤを与えて可視データとして印字させ、
前記メモリアクセス部によって内蔵メモリへの正常な書き込みが行われ、かつ、前記外観検査部において、可視データが正常に印字されている旨の検査結果が得られたＩＣカードについては、良品として前記カード排出部に収容させ、それ以外のＩＣカードについては、不良品として前記カード排出部に収容させる制御を行うことを特徴とする非接触型ＩＣカードの発行処理システム。
【請求項２】  請求項１に記載の発行処理システムにおいて、
メモリアクセス部にエンコードデータの書き込みを行わせる前に、各ＩＣカードに固有のチップＩＤを読み出す処理を行わせ、チップＩＤが正常に読み出されたＩＣカードに対してのみエンコードデータの書き込みを行わせるようにし、チップＩＤが正常に読み出されなかったＩＣカードに対してはエンコードデータの書き込みを行わないようにしたことを特徴とする非接触型ＩＣカードの発行処理システム。
【請求項３】  請求項２に記載の発行処理システムにおいて、
可視データ印字部に印字するカードＩＤとして、処理順に発行される連続番号を用いるようにし、内蔵メモリへの正常な書き込みが行われなかったＩＣカードが存在した場合には、次の処理対象となるＩＣカードに対して、再度同一のカードＩＤを発行するようにしたことを特徴とする非接触型ＩＣカードの発行処理システム。
【請求項４】  請求項３に記載の発行処理システムにおいて、
１枚のＩＣカードに関する情報を１レコードとして記録することができ、キーデータが記録されたキーデータフィールドと、エンコードデータの所在が記録されたエンコードデータフィールドと、読み出されたチップＩＤを書き込むチップＩＤフィールドと、発行したカードＩＤを書き込むカードＩＤフィールドと、良品／不良品を区別する情報を書き込む良／不良フィールドと、を有するデータベースを格納したデータベース格納部を更に設け、
前記キーデータフィールドと前記エンコードデータフィールドとを参照することにより、書き込むべきエンコードデータの抽出を行い、読み出されたチップＩＤをチップＩＤフィールドへ書き込み、発行したカードＩＤをカードＩＤフィールドへ書き込み、良品／不良品を区別する情報を良／不良フィールドへ書き込むことにより、処理済みのＩＣカードについての情報が前記データベースとして記録されるようにしたことを特徴とする非接触型ＩＣカードの発行処理システム。
【請求項５】  請求項４に記載の発行処理システムにおいて、
カード排出部に収容された良品のＩＣカードに対して、出荷前のテストを行うテスト部を更に設け、このテスト部によるテストの結果、不良品と判定されたＩＣカードについては、データベースの良／不良フィールドに不良である旨の情報が書き込まれるようにし、当該ＩＣカードについて発行されたカードＩＤが欠番である旨を確認できるようにしたことを特徴とする非接触型ＩＣカードの発行処理システム。
【請求項６】  請求項５に記載の発行処理システムにおいて、
テスト装置によるテストの結果、良品と判定されたＩＣカードを、所定枚数ごとのロット単位で梱包する際に、各ロット内に収容されているＩＣカードに対して発行されたカードＩＤの先頭番号および末尾番号が認識できるように、データベース内の情報を利用して個々のロットごとのカードＩＤの先頭番号および末尾番号を示す一覧表をプリントする機能をもったプリンタを更に設けたことを特徴とする非接触型ＩＣカードの発行処理システム。
【請求項７】  請求項６に記載の発行処理システムにおいて、
個々のロットごとの一覧表に、更に、先頭番号から末尾番号までの範囲内に含まれているカードＩＤの欠番を示す情報を付加したことを特徴とする非接触型ＩＣカードの発行処理システム。
【請求項８】  請求項１〜７のいずれかに記載の発行処理システムにおいて、
カード供給部から、所定位置にカード種別を特定する記号が表示されたＩＣカードが供給された場合に、供給されたＩＣカードの前記所定位置を読み取ることにより、正しい種別のＩＣカードが正しい向きに供給されているか否かを判別するカード判別部を更に設け、このカード判別部により正しい判別が行われなかったＩＣカードに対しては、内蔵メモリに対するアクセス処理を行わずに不良品として排出することを特徴とする非接触型ＩＣカードの発行処理システム。
【請求項９】  ＩＣからなる内蔵メモリを有する媒体を発行する媒体発行処理システムであって、
前記内蔵メモリにアクセスして第１の情報を書き込むメモリアクセス部と、
前記媒体の表面に第２の情報を可視データとして印字する可視データ印字部と、
発行対象となる個々の媒体のそれぞれについて、前記第１の情報と前記第２の情報とを格納するデータベース格納部と、
前記データベース格納部に対する情報の読み出しおよび書き込みを行う機能を有し、前記データベース格納部に格納されている情報を、前記メモリアクセス部による書込動作および前記可視データ印字部による印字動作が終了した後に、外部装置へ出力する制御部と、
を備えることを特徴とする媒体発行処理システム。
【請求項１０】  請求項９に記載の媒体発行処理システムにおいて、
データベース格納部に格納されている情報の出力対象となる外部装置がプリンタであることを特徴とする媒体発行処理システム。
【請求項１１】  請求項９または１０に記載の媒体発行処理システムにおいて、
制御部が、メモリアクセス部による書込動作および可視データ印字部による印字動作の良否結果を、データベース格納部に書き込むことを特徴とする媒体発行処理システム。
【請求項１２】  請求項９〜１１のいずれかに記載の媒体発行処理システムにおいて、
可視データ印字部によって印字された可視データの検査を行う外観検査部を更に備え、
制御部が、前記外観検査部による検査結果をデータベース格納部に書き込むとともに、前記データベース格納部に格納されている情報を、前記メモリアクセス部による書込動作、前記可視データ印字部による印字動作、および前記外観検査部による検査動作が終了した後に、外部装置へ出力することを特徴とする媒体発行処理システム。
【手続補正３】
【補正対象書類名】明細書
【補正対象項目名】００１４
【補正方法】変更
【補正の内容】
【００１４】
(9)   本発明の第９の態様は、ＩＣからなる内蔵メモリを有する媒体を発行する媒体発行処理システムにおいて、
内蔵メモリにアクセスして第１の情報を書き込むメモリアクセス部と、
媒体の表面に第２の情報を可視データとして印字する可視データ印字部と、
発行対象となる個々の媒体のそれぞれについて、上記第１の情報と上記第２の情報とを格納するデータベース格納部と、
このデータベース格納部に対する情報の読み出しおよび書き込みを行う機能を有し、データベース格納部に格納されている情報を、メモリアクセス部による書込動作および可視データ印字部による印字動作が終了した後に、外部装置へ出力する制御部と、
を設けるようにしたものである。
(10)  本発明の第１０の態様は、上述の第９の態様に係る媒体発行処理システムにおいて、
データベース格納部に格納されている情報の出力対象となる外部装置として、プリンタを用いるようにしたものである。
(11)  本発明の第１１の態様は、上述の第９または第１０の態様に係る媒体発行処理システムにおいて、
制御部が、メモリアクセス部による書込動作および可視データ印字部による印字動作の良否結果を、データベース格納部に書き込むようにしたものである。
(12)  本発明の第１２の態様は、上述の第９〜第１１の態様に係る媒体発行処理システムにおいて、
可視データ印字部によって印字された可視データの検査を行う外観検査部を更に設け、
制御部が、外観検査部による検査結果をデータベース格納部に書き込むとともに、データベース格納部に格納されている情報を、メモリアクセス部による書込動作、可視データ印字部による印字動作、および外観検査部による検査動作が終了した後に、外部装置へ出力するようにしたものである。
【手続補正４】
【補正対象書類名】明細書
【補正対象項目名】００１５
【補正方法】変更
【補正の内容】
【００１５】
【発明の実施の形態】
以下、本発明を図示する実施形態に基づいて説明する。
§１．発行処理システムの基本構成
図１は、本発明の一実施形態に係る非接触型ＩＣカードの発行処理システムの基本構成を示すブロック図である。このシステムを利用すれば、内蔵メモリに対して非接触方式でアクセスすることが可能な非接触型ＩＣカードを発行する処理を行うことができる。